(57)【要約】      （修正有）【課題】セラミックスとしての焼結粒をコンパクトにまとめて収容した小型容器により、遠赤外線放射物質を利用する際に使い勝手の良い流体改質具を提供する。【解決手段】小型容器１は、筒状の外周壁２と、その外周壁２の上端部を閉塞するように取着された上端壁３と、その外周壁２の下端部を閉塞するように取着された下端壁４とからなる。その外周壁２の全体には多数の通孔５が容器１の内外を貫通するように形成されている。吊下索６は、先端部に環状の引掛部６ａを有し、小型容器１に連結されている。この小型容器１内には遠赤外線放射物質の焼結粒７が複数個収容されているとともに、ダイヤモンド粒子含有石８が複数個収容されている。この焼結粒７は、見立礫岩（天照石、天降石）を粉末にしたものにダイヤモンド柱を混ぜて球状塊に成形し、その球状塊を焼結したものである。【選択図】図１
0003147697.tif 000002
【実用新案登録請求の範囲】
【請求項１】
通孔を有する小型容器内に遠赤外線放射物質の焼結粒を収容したことを特徴とする容器型流体改質具。
【請求項２】
前記焼結粒は、見立礫岩（天照石、天降石）を主体とする粉末を塊にして焼結したものであることを特徴とする請求項１に記載の容器型流体改質具。
【請求項３】
前記小型容器内にダイヤモンド粒子含有石を収容したことを特徴とする請求項１または請求項２に記載の容器型流体改質具。
【請求項４】
前記小型容器において両端壁間に設けた筒状の外周壁には縦横に並設した通孔を有していることを特徴とする請求項１または請求項２または請求項３に記載の容器型流体改質具。
【請求項５】
前記小型容器には吊下索を連結した請求項１から請求項４のうちいずれか一つの請求項に記載の容器型流体改質具。
【考案の詳細な説明】
【技術分野】
【０００１】
本考案は、天照石などの遠赤外線放射物質を利用した容器型流体改質具に関するものである。
【背景技術】
【０００２】
例えば下記特許文献１など、天照石等の遠赤外線放射物質により各種流体を改質し得ることは広く知られている。
【特許文献１】特開２００６−７１９１号公報
【考案の開示】
【考案が解決しようとする課題】
【０００３】
上記特許文献１では天照石などの遠赤外線放射物質を各種流体に混ぜたりして利用しているため、広い範囲の各種流体に対して天照石などの遠赤外線放射物質を利用する場合、使い勝手が悪くなる問題があった。
【０００４】
この考案は、遠赤外線放射物質を利用する際に使い勝手の良い流体改質具を提供することを目的としている。
【課題を解決するための手段】
【０００５】
後記実施形態の図面（図１）の符号を援用して本考案にかかる容器型流体改質具を説明する。
請求項１の考案にかかる容器型流体改質具においては、通孔５を有する小型容器１内に遠赤外線放射物質の焼結粒７を収容している。請求項１の考案では、焼結粒７をコンパクトにまとめて収容した小型容器１をタンク等内の各種流体に対し容易に浸すことができる。また、セラミックスとしての焼結粒７に流体が浸透し易くなって各種流体に対する改質効果をより一層向上させることができる。
【０００６】
請求項１の考案を前提とする請求項２の考案において、前記焼結粒７は、見立礫岩（天照石、天降石）を主体とする粉末を塊にして焼結したものである。請求項２の考案では、粉末塊を焼結したセラミックスとしての焼結粒７に形成された超微細孔に流体が入り込んで焼結粒７に対する流体の接触面積を増加させ、各種流体に対する改質効果をより一層向上させることができる。
【０００７】
請求項１または請求項２の考案を前提とする請求項３の考案においては、前記小型容器１内にダイヤモンド粒子含有石８を収容している。請求項３の考案では、ダイヤモンド粒子含有石８により各種流体に対する改質効果をより一層向上させることができる。
【０００８】
請求項１または請求項２または請求項３の考案を前提とする請求項４の考案にかかる小型容器１において、両端壁３，４間に設けた外周壁２には縦横に並設した通孔５を有している。請求項４の考案では、外周壁２にある多数の通孔５により小型容器１に対し流体が出入りし易くなって各種流体に対する改質効果をより一層向上させることができる。
【０００９】
請求項１から請求項４のうちいずれか一つの請求項の考案を前提とする請求項５の考案において、前記小型容器１には吊下索６を連結している。請求項５の考案では、吊下索６をタンク等に引掛けて小型容器１をタンク等内の各種流体に対し容易に浸すことができる。
【考案の効果】
【００１０】
本考案は、セラミックスとしての焼結粒７をコンパクトにまとめて収容した小型容器１により、遠赤外線放射物質を利用する際に使い勝手の良い流体改質具を提供することができる。
【考案を実施するための最良の形態】
【００１１】
以下、本考案の一実施形態に係る容器型流体改質具について図1を参照して説明する。
縦長の小型容器１は、剛性を有する金属により形成され、筒状の外周壁２と、その外周壁２の上端部を閉塞するように外周壁２に取着された上端壁３と、その外周壁２の下端部を閉塞するように外周壁２に取着された下端壁４とからなる。その外周壁２の全体には縦横に並設された多数の通孔５が小型容器１の内外を貫通するように形成されている。例えば、この小型容器１の全長Ｌは約４７ｍｍ、この小型容器１の外径Ｄは約１９ｍｍ、この通孔５の直径は約２ｍｍに設定されている。例えば約９００ｍｍの長さを有する折曲可能な金属ワイヤからなる吊下索６は、先端部に環状の引掛部６ａを有し、上端壁３から外周壁２内に挿通されて下端壁４から引き出され、上端壁３及び下端壁４の外側で取着された抜止部３ａ，４ａによりそれらの端壁３，４から抜け落ちないように係止されて小型容器１に連結されている。この小型容器１内には遠赤外線放射物質の焼結粒７が複数個（例えば２〜５個）収容されているとともに、例えば４〜１２メッシュのダイヤモンド粒子含有石８が複数個（例えば１２〜１３個）収容されている。この焼結粒７は、例えば見立礫岩（天照石、天降石）を例えば１００〜３００メッシュの粉末にしたものに例えば約１ｍｍのダイヤモンド柱を例えば４〜５個混ぜて例えば直径６〜１５ｍｍの球状塊に成形し、その球状塊を例えば１１００〜１４００℃好ましくは約１３００℃で焼結したものである。ちなみに、この容器型流体改質具をガソリンタンク内に入れた場合には燃費が１５〜５０％良くなり、この容器型流体改質具を軽油タンク内に入れた場合には燃費が１５〜２０％良くなることが確認できた。
【００１２】
本実施形態は下記の効果を有する。
＊  通孔５を有する小型容器１内に焼結粒７やダイヤモンド粒子含有石８を収容したので、それらをコンパクトにまとめた小型容器１をタンク等内の各種流体に対し容易に浸すことができる。従って、流体改質具の使い勝手を良くすることができる。
【００１３】
＊  見立礫岩（天照石、天降石）の粉末塊を焼結したので、その焼結粒７にはセラミックスとして超微細孔が形成され、その超微細孔に流体が入り込んで焼結粒７に対する流体の接触面積を増加させることができる。従って、各種流体に対する改質効果をより一層向上させることができる。
【００１４】
＊  ダイヤモンド粒子含有石８や焼結粒７内のダイヤモンド柱により、各種流体に対する改質効果をより一層向上させることができる。
＊  小型容器１に吊下索６を連結したので、その吊下索６をタンク等に引掛けて小型容器１をタンク等内の各種流体に対し容易に浸すことができる。従って、流体改質具の使い勝手を良くすることができる。
【００１５】
前記実施形態以外にも例えば下記のように構成してもよい。
・  前記焼結粒７内のダイヤモンド柱やダイヤモンド粒子含有石８については少なくともいずれか一方または両方共省略してもよい。
【００１６】
・  小型容器１については、縦方向に長い筒状のものを例示したが、縦方向に平坦なものであってもよい。また、剛性を有する金属により形成したものを例示したが、柔軟な網袋であってもよい。さらに、小型容器１に対する通孔５の配置構成や数を適宜変更してもよい。
【００１７】
・  遠赤外線放射物質としては、見立礫岩（天照石、天降石）以外にも、トルマリン石や花崗岩などを採用することができる。
【図面の簡単な説明】
【００１８】
【図１】（ａ）は本実施形態にかかる容器型流体改質具を示す正面図であり、（ｂ）は同じく正面側から見た断面図であり、（ｃ）は遠赤外線放射物質の焼結粒を示す拡大正面図であり、（ｄ）はダイヤモンド粒子含有石を示す拡大正面図である。
【符号の説明】
【００１９】
１…小型容器、２…小型容器の外周壁、３…小型容器の上端壁、４…小型容器の下端壁、５…外周壁の通孔、６…吊下索、７…焼結粒、８…ダイヤモンド粒子含有石。
【図１】
0003147697.tif 000003